(57)【特許請求の範囲】
【請求項１】
天井裏１に通じた天井２の開口３に折畳み収納可能な梯子４の上端５を開口３に枢支すると共にバネ６により梯子４に上方へ折畳まれる方向の引張力を付与するに当たり、基台７に連結杆８を上下摺動自在に支持させると共に、梯子４に一端６Ａが連結されたバネ６の他端６Ｂを引っ掛けるための連結孔９を連結杆８に施し、この連結杆８に設けられた複数個の切込み１０Ａ、１０Ｂ・・・のいずれかを選択的に基台７の係止部１１に係止させるようしたことを特徴とする折畳収納梯子の連結具。
【請求項２】
連結杆８の上部に位置調整ロッド１４挿入用の複数個の操作孔１２Ａ、１２Ｂ・・・を設けると共に、基台７のこの連結杆８の上部に対向した箇所に位置調整ロッド１４先端挿入用の支点孔１３を設けて成ることを特徴とする特許請求の範囲第１項記載の折畳収納梯子の連結具。
【発明の詳細な説明】
【０００１】
【発明の属する技術分野】
本発明は、階下と天井裏との間に掛け渡す折畳梯子にバネで復帰用の引張力を付与する場合に、高所の狭小な現場で、その現場に応じた最適の引張力に簡単に調整することができる折畳収納梯子の連結具に関する。
【０００２】
【従来の技術】
狭い敷地を有効に活用させるために、天井裏に収納を設ける場合、収納に行き来する時のみ梯子が使えるように、天井裏の開口部を覆う開閉扉の上面に折畳可能な梯子が装着される。この梯子の一端が直接または開閉蓋を介して開口部に枢支され、且つ、収納時の跳ね上げが楽なようにバネで上向きの引張力を付与している。
ところが、現場に応じてこのバネの引張力を調整する必要があるが、従来はターンバックルを介在させるなどして調整しているが、ターンバックルでは何回も回し続ける必要があり、狭い現場での作業がやりにくい上に、特に大幅な調整が利きにくい欠点があった。
【０００３】
【発明が解決しようとする課題】
本発明は、現場での調整を簡単且つ効果的にバネの引張力の調整を行い、現場に最適の引張力を設定できるようにするものである。
【０００４】
【課題を解決するための手段】
そこで、発明者は、上記課題を解決すべく、鋭意，研究を重ねた結果、基台７に連結杆８を上下摺動自在に支持させると共に、梯子４に一端６Ａが連結されたバネ６の他端６Ｂを引っ掛けるための連結孔９を連結杆８に施し、この連結杆８に設けられた複数個の切込み１０Ａ、１０Ｂ・・・にいずれかが選択的に基台７の係止部１１を係止されるようして、調整を簡単にしかも大きく調整可能にすることにより、上記課題を解決したものである。
【０００５】
【発明の実施の形態】
以下、本発明の実施形態を図面に基づいて説明する。図２、３は天井裏１に梯子４を折畳んで収納した状態を示すもので、天井裏１に通じた天井２の開口３に折畳み収納可能な梯子４の上端５が開口３に枢支される。図示例では、蝶番２３により開閉蓋１７を開口３に回動自在に接続することにより、梯子４の上端５を間接的に開口３に支持してある。この梯子４はバネ６により上方へ折畳まれる方向の引張力が付与されるもので、バネ６の一端６Ａは梯子４に、他端６Ｂは、基台７に支持された連結杆８の連結孔９に係止される。この連結杆８は基台７に上下摺動自在に支持され、且つ、バネ６が作用する時は、図５（a）から（d）のように、この連結杆８に設けられた複数個の切込み１０Ａ、１０Ｂ、１０Ｃ、１０Ｄのいずれかが選択的に基台７の係止部１１に係止されるようしてある。図1中、１５と１６は連結杆８を摺動自在に接合するための係止ピンと、長孔である。
尚、バネ６の一端６Ａと他端６Ｂはそれぞれ梯子４（または開閉蓋１７）と連結孔９に直接連結しても良いが、必要に応じて連結フック２２を介在させても良い。連結の位置や形状によっては、バネ６の連結がスムーズに行える。
【０００６】
また、連結杆８には図１のように複数個の操作孔１２Ａ、１２Ｂ・・・が設けられ、基台７のこの連結杆８の上部と対向した箇所には支点孔１３が設けられる。
尚、上記切込み及び操作孔は、３以上の多数を設けることも勿論可能である。
【０００７】
図中、１７は開口３を覆う開閉蓋、１８は梯子の折畳のための蝶番、１９は手摺、２０は開閉蓋１７のストッパー、２１は連結ステーである。
また、本発明金具は、梯子４の上部の両端の一方または両方、或いは、センター等、適宜位置に適宜個数設置することができる。
【０００８】
【発明の作用】
この梯子４は天井裏１に行き来する時に図２のように梯子４を伸ばして引き下して階段を形成するものである。ここでバネ６は梯子４を折畳んで天井裏１収納する際にスムーズに梯子４を持ち上げるための補助力を与えるもので、設置時に現場に応じた最適の強さに調節される。
【０００９】
ここで本発明の場合、これらは、図１のように例えばドライバーのような位置調整ロッド１４を差し込んで操作するもので、連結杆８を持ち上げてバネ６の張りを強くする時は、支点孔１３の略水平前方に位置する操作孔１２Ａよりロッド１４の先を挿入して、その先端を支点孔１３まで届かせ、先ず矢印aのように横に移動させて支点孔１３を支点にしてロッド１４により切込み１０Ａ（またはＢ）を係止部１１より外す。次に矢印bのように連結杆８を上方に摺動させ、更に矢印cのように横に移動させて次の切込み１０Ｂ（またはＣ）を係止部１１に係合させる。この場合、ロッド１４は１つ下の操作孔１２Ｂより差し込んで、斜め下向きから水平にまで持ち上げても良い。
【００１０】
逆に緩める時は、上記と逆にしてロッド１４を斜め上向きまたは水平挿入位置から水平または斜め下向き位置に持ち下げて調整することができる。
【００１１】
尚、基台７の取付けを開閉蓋１７のバネ６の長さ方向と平行な側縁のみがビスなどで固定されるようにしておくと、バネ６の引張力は開閉蓋１７のバネ６の長さ方向と垂直な端縁方向（縁が図４の下向き矢印方向）に作用せず、この端縁のバネ６による変形が防止できる。
【００１２】
【発明の効果】
本発明は上述のように、基台７に連結杆８を上下摺動自在に支持させると共に、梯子４に一端６Ａが連結されたバネ６の他端６Ｂを引っ掛けるための連結孔９を連結杆８に施し、この連結杆８に設けられた複数個の切込み１０Ａ、１０Ｂ・・・がいずれかを選択的に基台７の係止部１１に係止されるようしたから、従来のように狭い高所でターンバックルを何回も何回もぐるぐると回すような面倒な作業をすることなく、連結杆８を移動させることにより簡単にしかも大きくバネ６の引張力を調整して、現場で梯子４に最適の調整が行える利点がある。
【００１３】
また、連結杆８の上部に位置調整ロッド１４挿入用の複数個の操作孔１２Ａ、１２Ｂ・・・を設けると共に、基台７のこの連結杆８の上部に対向した箇所に位置調整ロッド１４先端挿入用の支点孔１３を設けた場合には、ドライバーのような手元に常時ある身近な治具を用いて、しかも梃子の作用により小さな力で簡単且つ確実に上記バネの引張力の調整が行える利点がある。
【図面の簡単な説明】
【図１】本発明の実施例１の斜視図である。
【図２】同上を使用した折畳梯子の使用状態の概略側面図である。
【図３】同上の閉じた状態の概略平面図である。
【図４】同上の閉じた状態の概略側面図である。
【図５】同上の作用説明図であって、（a）（b）（c）（d）の順に連結杆８の突出量が減少してバネ６の引張力を減少させる状態を示すものである。
【符号の説明】
１：天井裏
２：天井
３：開口
４：梯子
５：上端
６：バネ
７：基台
８：連結杆
９：連結孔
１０Ａ、１０Ｂ・・・：切込み
１１：係止部
１２Ａ、１２Ｂ・・・：操作孔
１３：支点孔
１４：位置調整ロッド
【図１】
0003870368.tif 000002
【図２】
0003870368.tif 000003
【図３】
0003870368.tif 000004
【図４】
0003870368.tif 000005
【図５】
0003870368.tif 000006